(57)【要約】【課題】降雨後にも効率的な施工が可能な防水シート施工方法を得る。【解決手段】高周波誘導加熱を用い、防水シートを被防水下地上に施工するにあたり、(a) 防水シート固定金物1を準備する工程であって、防水シート固定金物1が欠損部分3Aを有する工程、(b) 防水シート固定金物1を被防水下地5上に固定する工程、(c) 防水シート固定金物1を濡らしている水分を、欠損部分3Aを介して抜く工程、及び(d) 高周波誘導加熱を用い、防水シートを防水シート固定金物1上に固定する工程を備える。この方法、それに用いる防水シート固定金物及びそれにより得られる防水構造は、降雨後にも効率的な施工を可能とし、融着強度や融着品質を良好に保つのにも適用できる。【選択図】図１
2009138328.tif 000002
【特許請求の範囲】
【請求項１】
高周波誘導加熱を用い、防水シートを被防水下地上に施工するにあたり、
(a) 防水シート固定金物を準備する工程であって、前記防水シート固定金物が欠損部分を備える工程、
(b) 防水シート固定金物を被防水下地上に固定する工程、
(c) 防水シート固定金物を濡らしている水分を、前記欠損部分を介して抜く工程、及び
(d) 高周波誘導加熱を用い、防水シートを前記防水シート固定金物上に固定する工程
を備える、防水シート施工方法。
【請求項２】
高周波誘導加熱用の防水シート固定金物であって、欠損部分を備え、高周波誘導加熱により防水シートを前記防水シート固定金物上に固定するのに先立ち、前記防水シート固定金物を濡らしている水分が、前記欠損部分を介して抜け得る、防水シート固定金物。
【請求項３】
防水シート固定金物が、防水シート固定金物の本体と前記本体の被防水下地側の水抜き部材とを備えており、前記水抜き部材が欠損部分を有し、前記防水シート固定金物を濡らしている水分が、前記欠損部分を介して抜け得る、請求項2の防水シート固定金物。
【請求項４】
水抜き部材が遮熱性を有する、請求項3の防水シート固定金物。
【請求項５】
防水シート固定金物の本体が欠損部分を有し、前記防水シート固定金物を濡らしている水分が、前記欠損部分を介して抜け得る、請求項2〜4のいずれか一項の防水シート固定金物。
【請求項６】
欠損部分が外縁部において放射状に配置される、請求項2〜5のいずれか一項の防水シート固定金物。
【請求項７】
被防水下地、被防水下地上の防水シート固定金物及び防水シート固定金物上の防水シートを備える防水構造であって、防水シート固定金物が欠損部分を有しており、前記防水シート固定金物を濡らしている水分が、前記欠損部分を介して抜けており、高周波誘導加熱により防水シートが前記防水シート固定金物上に固定されている、防水構造。
【発明の詳細な説明】
【技術分野】
【０００１】
本発明は、屋上のシート防水工事、特に高周波誘導加熱装置を用いて固定金具と防水シートとを融着する工法に用いる方法に関し、特に屋根の防水工事期間中の降雨による作業の遅延を防止するための防水シート固定金物、防水構造に関する。
【背景技術】
【０００２】
高周波誘導加熱にて固定金具を加熱し、防水シートと固定金具とを融着する工法が知られている(例えば特許文献1参照)。
【特許文献１】特開平4-254649号公報
【発明の開示】
【発明が解決しようとする課題】
【０００３】
高周波誘導加熱は金属を加熱するため、突然の降雨等により固定金具が水濡れした場合は、設定時間内に十分な加熱が得られず、融着不良となる。そのため、固定金具が十分に乾燥するまで誘導加熱作業を行えないという欠点があった。また、誘導加熱による固定金具の防水シート融着面に欠損部を有する場合は、融着強度の確保が困難となる問題があった。
【０００４】
本発明は、降雨等の際にも効率的な施工、十分な融着強度の確保が可能な防水シートの施工方法、そのための防水シート固定金物、それによる防水構造を得ることを目的とする。
【課題を解決するための手段】
【０００５】
本発明は、高周波誘導加熱を用い、防水シートを被防水下地上に施工するにあたり、(a) 防水シート固定金物を準備する工程であって、前記防水シート固定金物が欠損部分を有する工程、(b) 防水シート固定金物を被防水下地上に固定する工程、(c) 防水シート固定金物を濡らしている水分を、前記欠損部分を介して抜く工程、及び(d) 高周波誘導加熱を用い、防水シートを前記防水シート固定金物上に固定する工程を備える、防水シート施工方法、それに用いる防水シート固定金物及び得られる防水構造に係るものである。
【発明の効果】
【０００６】
本発明の防水シート施工方法、防水シート固定金物及び防水構造は、防水シート固定金物において水抜き部分として働く欠損部分を用いることで、高周波誘導加熱により防水シートを防水シート固定金物上に固定するのに先立って、防水シート固定金物を濡らしている水分が、欠損部分を介して効率的に抜け得る。このため、本発明では、高周波誘導加熱に際し、防水シート固定金物の効率的な乾燥ができ、防水工事期間中の降雨等による作業の延滞を防止でき、降雨後にも効率的な施工が可能であり、融着強度や融着品質をも良好に保つことができるという利点がある。
【発明を実施するための最良の形態】
【０００７】
本発明は、降雨等による水滴が及ぼす高周波誘導加熱作業における延滞の影響を極力抑えるという目的を、防水シート固定金物に水抜き部分として働く欠損部分を設けることで、融着強度や融着品質をも損なわずに実現した。
【０００８】
本発明の防水シート固定金物は、高周波誘導加熱を用いて防水シートを融着することができるものであれば、特に制限されることなく、種々の形状、材質からなるものでよい。高周波誘導加熱が用いられる限り、防水シート固定部材と称するのが適切な場合がある。
【０００９】
防水シート固定金物は、複数種類の材質から、又複数層から構成することができる。例えば、一般に、防水シート側の表面に樹脂層を有し、その樹脂は高周波誘導加熱による融着を促進する。また、防水シート固定金物の防水シート側、又は被防水下地側には、各種の部材、例えば、遮熱材、通常の公知の各種機能性部材を配置することができる。
【００１０】
好適には、防水シート固定金物は、高周波誘導加熱用の防水シート固定金物であって、欠損部分を備え、高周波誘導加熱により防水シートを前記防水シート固定金物上に固定するのに先立ち、前記防水シート固定金物を濡らしている水分が前記欠損部分を介して抜け得るものである。
【００１１】
また、防水シート固定金物は、防水シート固定金物の本体と前記本体の被防水下地側の水抜き部材とを備えることができる。この場合、水抜き部材が、欠損部分を有するものでよく、前記防水シート固定金物を濡らしている水分が前記欠損部分を介して抜け得るものでよい。水抜き部材は遮熱性等の多機能を有することができる。
【００１２】
防水シート固定金物の本体は、その表面に樹脂層を備えることができ、その樹脂は高周波誘導加熱による固定金物と防水シートとの融着を促進するのに働く。
【００１３】
防水シート固定金物の本体は、防水シートが融着する平坦部分、その外縁部で周方向に延在する裾部分及びフランジ部分とを備え、縦断面で見て略ドーム状として形成することができる。中央部には、被防水下地に固定金物を固定するためのアンカー等の固定部材用に窪み部を設けることができる。
【００１４】
防水シート固定金物は、その本体単体で構成されてよく、この場合、本体が欠損部分を有し、前記防水シート固定金物を濡らしている水分が前記欠損部分を介して抜け得る。
【００１５】
欠損部分は、それによって、防水シート固定金物を濡らしている水分が抜け得るものであれば、特に制限されることなく、種々の手段を用い、種々の方法で、種々の形状、材質等から形成することができる。
【００１６】
欠損部分は、水分の抜けが促進されるように、種々の形状、材質、配置等に応じて設計することができ、防水シート固定金物において、その本体又は水抜き部材で、種々の位置において、例えば、外縁、内縁、表面、裏面、側面、等の部分のいずれか、又はそれらの任意の組み合わせで、種々の形状において、例えば、円、半円形状、楕円、矩形、等の形状の欠損、凹部、溝等の形状、花びら型等を有するものとして、種々の配置において、例えば、無作為、放射状、等に配置することができ、これらを相互に組み合わせることができる。
【００１７】
水分の抜けには、種々の技術的影響が考えられる。気温、湿度、風速、等周囲環境による影響の他、固定金物の材質、表面積、温度、濡れ性等の影響が考えられる。中でも、欠損部分は、固定金物の表面、下側等の外面、内側、内部、その他の部分を濡らす水分が抜けるように促す通路として働き、水分の蒸発、流出、逸散等を介して固定金物の乾燥を促進するのに大いに役立つ。
【００１８】
水抜き部材に欠損部分を設ける場合、防水シート固定金物本体の外縁部に接触するか、その固定金物の内側又は内部と通じる欠損部分が好ましい。このような欠損部分は、固定金物本体の表面の水分やその内部にまで進入している水分が抜け易く、固定金物の乾燥がより一層促進される。
【００１９】
本発明の具体的な例は、防水シートを施工するにあたり、防水シートを施工する下地(被防水下地)に対して、下地と防水シート固定金物の間に、上述のような水抜きのための欠損部分を有する水抜き部材、好ましくは遮熱性水抜き部材を設置した後に、防水シートの上から高周波誘導加熱によって防水シートと防水シート固定金物を融着する方法である。
【００２０】
また、本発明の具体的な例は、防水シートを施工するにあたり、被防水下地に対して、上述のような水抜きのための欠損部分を有する防水シート固定金物本体を設置した後に、防水シートの上から高周波誘導加熱にて、防水シートと防水シート固定金物本体を融着する方法である。
【００２１】
防水下地と固定金物との間に、欠損部分を有する水抜き部材を設置することによって、あるいはまた、固定金物の融着面以外の部分に、欠損部分を有する固定金物本体を設置することによって、突然の降雨の際に固定金物内部にまで進入した水が水抜き部材の欠損部分を通ることにより、固定金物の乾燥が容易になり、誘導加熱作業の延滞を防止する。
【００２２】
本発明では、固定金物の裏面から外部へ通じる欠損部分を有する固定金物本体(例えば、鋼板製のもの)、又は固定金物本体の被防水下地側の水抜き部材、好ましくは遮熱性能も併せ持つ遮熱性水抜き部材(例えば、遮熱材料、プラスチック、紙、木、塩ビ(ポリ塩化ビニル)シート等の材料からなる)を用い、屋上防水工事の際、固定金物を誘導加熱にて加熱し、固定金物表層の樹脂を溶解し、防水シートと固定金物を融着もしくは接着する工法に適用する。
【００２３】
水分の十分な抜けには、上述のように種々の影響が考えられ、それらに応じ、降雨等の後、種々の時間の間放置し、又は適切な乾燥手段、例えば、加熱、扇風機等による乾燥手段の併用を設定できる。現状は、雨期以外の通常の降雨後の放置による乾燥では、高周波誘導加熱のための水分除去が難しく、固定金物を一度外し、乾燥させてからの再度の設置を余儀なくされるが、欠損部分を有することで、十分な乾燥までの時間を大幅に短縮し、より一層効率的に十分な融着強度を得ることができる。
【００２４】
水分の抜けは、まず、好ましくは固定金物の上面の被高周波誘導加熱部分の水分の抜け、更に好ましくは前記のものに加え、固定金物の外面の水分の抜け、更に好ましくは前記のいずれか一方のものに加え、固定金物の内側又は内部の水分の抜け、最も好ましくは前記の双方のものに加え、固定金物の内側又は内部の水分の抜け、逸散等である。
【００２５】
防水シート固定金物を例にして、以下に具体的な使用例を説明するが、防水シート固定金物は、制限されるものでなく、その下側に敷き込む遮熱材等で、欠損部を有するもの(例えば、花びら型の塩ビシート)を使用する態様も包含するし、また、前述のように、固定金物にだけ欠損部を有する場合、及び固定金物本体には欠損部はなく固定金物の一部として又はその他の部材としてその下側等に熱伝達防止のために設置する遮熱材料に欠損部を有する場合のいずれか、もしくはそれら両方を組み合わせた場合の態様等も包含する。
【実施例】
【００２６】
図面を参照して本発明を実施例に従って説明する。
図1は、本発明の1実施例にかかる防水シート固定金物の平面図であって、左側が本発明にかかるものであり、右側が従来のもので、いずれも水をかけた直後の状態を示すものである。図2は、本発明の1実施例にかかる防水シート固定金物の平面図であって、図1の状態を数分放置した後の防水シート固定金物の内部の状態を示すものである。図1中、1〜6、3A、51〜53は、図2で同様である。図3は本発明の他の実施例にかかる防水シート固定金物の斜視図である。
【００２７】
誘導加熱による防水工事に用いられる遮熱材において、降雨後に固定金物と遮熱材との隙間に雨水が入り込み、乾燥し難く残ってしまう問題から、防水シート固定金物又は遮熱材の型の変更を行い、水はけの比較を繰り返し検討した。
【００２８】
(実施例1)
図1の左側に図示するような防水シート固定金物を作製した。
本実施例での防水シート固定金物1は、鋼板製の固定金物本体2と、水抜き部材としての遮熱材3とを備え、遮熱材3は、欠損部として、溝状の形状を有する欠損部3Aを周縁部において放射状に配置した。防水シート固定金物1は、ボルト、アンカー等の固定部材4を用い、被防水下地5上に固定し、その上に防水シートを高周波誘導加熱によって融着する。
【００２９】
(排水性試験)
図1に示すように散水した直後と、温度27℃、湿度56%、風速(屋外等)2m/秒において数分間(20分〜360分)放置した後とで、固定金物2、52と遮熱材3、53の状態を観察した。
図2に示すように、360分後、断面欠損の無い遮熱材53(従来のもの)は固定金物本体の内部に水が残存していたが、断面欠損を配置した遮熱材3(本実施例のもの)では固定金物本体の内部で水が無くなっていることが確認された。なお、本実施例のものでは、固定金物本体の表面の水分は120分後に乾燥していた。
【００３０】
(高周波誘導加熱試験)
散水後同時間放置し、防水シートを高周波誘導加熱装置を用いて融着させた。
欠損部3Aを有する遮熱材を設置した本実施例のものの箇所の融着状態は良好であった。欠損部の無い遮熱材の設置されたものでは、その箇所で融着不良が発生した。よって、固定金物への水分の付着は工事の延滞につながる。
【００３１】
このように、固定金物の裏面から外部へ通じる欠損部分を有する水抜き部材を設置することにより、突然の降雨の際に固定金物から進入した水が、水抜き部材の欠損部分を通ることにより、固定金物の乾燥が容易になり、誘導加熱作業の延滞が防げる効果がある。
【００３２】
(実施例2)
図3に示すような防水シート固定金物を作製した。
本実施例での防水シート固定金物21は、鋼板製の固定金物本体22と、遮熱材23とを備え、固定金物本体22は、欠損部として、溝状の形状を有する欠損部22Aを周縁部において放射状に配置した。防水シート固定金物21は、実施例1と同様に、被防水下地上に固定し、その上に防水シートを高周波誘導加熱によって融着する。
【００３３】
(高周波誘導加熱試験)
実施例1と同様にして、散水し、同時間放置後、防水シートを融着させた。欠損部を有する本実施例の固定金物本体が設置された箇所での融着状態は良好であった。比較のため、欠損部の無い固定金物本体の設置された箇所では、融着不良が発生した。よって、固定金物への水分の付着は工事の延滞につながった。
【００３４】
このように、固定金物の裏面から外部へ通じる欠損部分を有する固定金物本体を設置することにより、突然の降雨の際に固定金物から進入した水が、固定金物本体の欠損部分を通ることによって、固定金物の乾燥が容易になるので、誘導加熱作業の延滞を防止するのにおおいに役立つ。
【産業上の利用可能性】
【００３５】
防水シート固定金物に設けた欠損部分が、水抜き用の通路となって、水分を逸散させることができ、高周波誘導過熱に必要な固定金物の乾燥を促進させることによって、降雨後にも効率的な防水シート施工が可能であり、融着強度や融着品質を良好に保つのにも適用できる。
【図面の簡単な説明】
【００３６】
【図１】1実施例の防水シート固定金物の平面図である。
【図２】防水シート固定金物の内部の状態を示す平面図である。
【図３】他の実施例にかかる防水シート固定金物の斜視図である。
【符号の説明】
【００３７】
１、２１    防水シート固定金物
２、２２    固定金物本体
３    水抜き部材
３Ａ、２２Ａ  欠損部分
４    固定部材
５    被防水下地
２３  遮熱部材
【図１】
2009138328.tif 000003
【図２】
2009138328.tif 000004
【図３】
2009138328.tif 000005